(57)【要約】【課題】ＬＥＤ素子の数を少なくしながらしかも十分な明るさを確保し、さらに照射角度を大きくするようにした蛍光灯型ＬＥＤ照明装置を提供する。【解決手段】金属から成る上側筐体１１と透明樹脂から成る下側筐体１２とによって構成される円筒状筐体内に取付け板２０を断面山形に配し、その左側傾斜部２１と右側傾斜部２２の下面にそれぞれＬＥＤ素子２３を取付けるようにし、これに対して樹脂部分から成る下側筐体１２の内表面には、三角形の突条２５を互いに平行に多数配列したプリズムシート２４を配し、取付け板２０の左側傾斜部２１と右側傾斜部２２に取付けられているＬＥＤ素子２３からの光を上記プリズムシート２４で拡散させて透明樹脂から成る下側筐体１２を通して外部に出射する。【選択図】図２
0003172924.tif 000002
【実用新案登録請求の範囲】
【請求項１】
少なくとも光の出射側が透明または半透明の筒状筐体内に取付け板を配し、該取付け板上にＬＥＤ素子を取付けた蛍光灯型ＬＥＤ照明装置において、
前記取付け板の幅方向の中央部に対して両側が互いに反対方向に斜め下方に傾斜され、該傾斜された部分の下側に前記ＬＥＤ素子が取付けられ、
しかも前記筐体の光の出射側内表面に光拡散シートが配される蛍光灯型ＬＥＤ照明装置。
【請求項２】
前記取付け板の両側の斜め下方に傾斜された部分のなす角度が１７０〜１３５度の範囲内であって、山型の断面形状を有し、前記１７０〜１３５度に傾斜した内側であって下側の部位に、両側の前記ＬＥＤの光軸のなす角度が１０〜８０度の範囲内で交差するように取付けられる請求項１に記載の蛍光灯型ＬＥＤ照明装置。
【請求項３】
前記光拡散シートが一方の表面に断面が三角形の突条を互いに平行に多数形成した透明な樹脂シートであって、湾曲させて前記突条が形成されている面とは反対側の平坦な面が前記筐体の内表面に沿うように配される請求項２に記載の蛍光灯型ＬＥＤ照明装置。
【請求項４】
前記取付け板の前記ＬＥＤ素子が取付けられている下側の表面が臨みかつ前記光拡散シートによって拡散される光が出射する前記筐体の円周方向の角度が２４５度以上である請求項３または請求項２に記載の蛍光灯型ＬＥＤ照明装置。
【請求項５】
前記筐体が上側金属部分と下側樹脂部分とから構成され、前記上側金属部分と前記下側樹脂部分とが互いに組合わされて円筒状の前記筐体が組立てられ、前記取付け板の両側の傾斜する下端が前記上側金属部分と前記下側樹脂部分との接合部において前記筐体に取付けられている請求項１に記載の蛍光灯型ＬＥＤ照明装置。
【請求項６】
前記筐体が透明または半透明の樹脂によって一体に成形された筒状の筒体から構成され、該筐体内に取付け部が連設され、ＬＥＤ素子を取付けた取付け板が前記取付け部に保持される請求項１に記載の蛍光灯型ＬＥＤ照明装置。
【考案の詳細な説明】
【技術分野】
【０００１】
本考案は蛍光灯型ＬＥＤ照明装置に係り、とくに少なくとも光の出射側が透明または半透明の筒状筐体内に取付け板を配し、該取付け板上にＬＥＤ素子を取付けた蛍光灯型ＬＥＤ照明装置に関する。
【背景技術】
【０００２】
室内の照明を行なうとともに、消費電力を低減するために、蛍光灯型ＬＥＤ照明装置が用いられている。このような蛍光灯型ＬＥＤ照明装置は、例えば特開２０１１−９１０１５号公報や、特開２０１０−２１２０４３号公報に示されるように、外径寸法が蛍光灯と同じであって、蛍光灯の取付け器具にそのまま装着できるようにした照明装置である。この照明装置は、円筒状をなす筐体を有し、その内部に基板を兼ねる取付け板を取付けておき、その一方の表面にＬＥＤ素子を取付け、該ＬＥＤ素子からの光を筐体の透明または乳白色部分を通して外部に放射するようにしている。
【０００３】
従来の一般的な蛍光灯型ＬＥＤ照明装置は、その筐体の円周方向の上半分をアルミニウムの半筒体によって構成し、下半分を透明または乳白色樹脂の半筒体によって構成し、これら上下の半筒体を互いに組合わせることによって円筒状の筐体を形成している。そして上記アルミニウム製の半筒体と透明または乳白色樹脂製の半筒体との接合部を連結するように基板を配し、この基板上にＬＥＤ素子を実装している。ＬＥＤ素子は、上記下半分の透明または乳白色樹脂の部分を通して外部に出射し、これによって照明装置として機能するようにしている。
【０００４】
ところが一般にＬＥＤの照射角度は狭く、このために光軸から側方に離れた部分では蛍光灯よりも暗くなってしまう。それを補うためにＬＥＤ素子の数を増やして光量を補うようにしている。従ってＬＥＤ素子を用いたとしても、その数量が増加するために、消費電力は平均で例えば２０〜２５Ｗ程度になってしまう。
【先行技術文献】
【特許文献】
【０００５】
【特許文献１】特開２０１１−９１０１５号公報
【特許文献２】特開２０１０−２１２０４３号公報
【考案の概要】
【考案が解決しようとする課題】
【０００６】
本願考案の課題は、ＬＥＤ素子からの光を有効にかつまんべんなく外部に放射することができる蛍光灯型ＬＥＤ照明装置を提供することである。
【０００７】
本願考案の別の課題は、ＬＥＤ素子の数を増やさなくても十分な光量が得られるようにし、これによって消費電力の低減を可能にした蛍光灯型ＬＥＤ照明装置を提供することである。
【０００８】
本願考案のさらに別の課題は、断面方向における光の照射角度を従来のものよりも大きくした蛍光灯型ＬＥＤ照明装置を提供することである。
【０００９】
本願考案のさらに別の課題は、各種のタイプのＬＥＤ素子を用い得るようにした蛍光灯型ＬＥＤ照明装置を提供することである。
【００１０】
本願考案のさらに別の課題は、筐体から出射する光にムラがないようにした蛍光灯型ＬＥＤ照明装置を提供することである。
【００１１】
本願考案の上記の課題および別の課題は、以下に述べる本願考案の技術的思想、およびその実施の形態によって明らかにされる。
【課題を解決するための手段】
【００１２】
本願の主要な考案は、少なくとも光の出射側が透明または半透明の筒状筐体内に取付け板を配し、該取付け板上にＬＥＤ素子を取付けた蛍光灯型ＬＥＤ照明装置において、
前記取付け板の幅方向の中央部に対して両側が互いに反対方向に斜め下方に傾斜され、該傾斜された部分の下側に前記ＬＥＤ素子が取付けられ、
しかも前記筐体の光の出射側内表面に光拡散シートが配される蛍光灯型ＬＥＤ照明装置に関するものである。
【００１３】
ここで、前記取付け板の両側の斜め下方に傾斜された部分のなす角度が１７０〜１００度の範囲内であって、山型の断面形状を有し、前記１７０〜１００度に傾斜した内側であって下側の部位に、両側の前記ＬＥＤの光軸のなす角度が１０〜８０度の範囲内で交差するように前記ＬＥＤ素子が取付けられてよい。また前記光拡散シートが一方の表面に断面が三角形の突条を互いに平行に多数形成した透明な樹脂シートであって、湾曲させて前記突条が形成されている面とは反対側の平坦な面が前記筐体の内表面に沿うように配されてよい。また前記取付け板の前記ＬＥＤ素子が取付けられている下側の表面が臨みかつ前記光拡散シートによって拡散される光が出射する前記筐体の円周方向の角度が２４５度以上であってよい。また前記筐体が上側金属部分と下側樹脂部分とから構成され、前記上側金属部分と前記下側樹脂部分とが互いに組合わされて円筒状の前記筐体が組立てられ、前記取付け板の両側の傾斜する下端が前記上側金属部分と前記下側樹脂部分との接合部において前記筐体に取付けられてよい。また前記筐体が透明または半透明の樹脂によって一体に成形された筒状の筒体から構成され、該筐体内に取付け部が連設され、ＬＥＤ素子を取付けた取付け板が前記取付け部に保持されてよい。
【考案の効果】
【００１４】
本願の主要な考案は、少なくとも光の出射側が透明または半透明の筒状筐体内に取付け板を配し、該取付け板上にＬＥＤ素子を取付けた蛍光灯型ＬＥＤ照明装置において、
前記取付け板の幅方向の中央部に対して両側が互いに反対方向に斜め下方に傾斜され、該傾斜された部分の下側に前記ＬＥＤ素子が取付けられ、
しかも前記筐体の光の出射側内表面に光拡散シートが配される蛍光灯型ＬＥＤ照明装置に関するものである。
【００１５】
このような構成の蛍光灯型ＬＥＤ照明装置によると、取付け板の斜め下方に傾斜された部分に取付けられたＬＥＤ素子からの光が、筐体の出射側内表面に配される光拡散シートに向けて放射されるようになり、この光拡散シートで光が拡散されるとともに、拡散された光が筐体の透明または半透明の部分を通して外部に出射されることになる。従ってＬＥＤ素子からの光をより有効に利用して照明を行なうことができ、このために光の利用効率を改善して消費電力の低減を図ることが可能になるとともに、ＬＥＤ素子の取付け数を従来よりも少なくすることが可能になる。また光拡散シートを用いてＬＥＤ素子からの光を拡散しているために、筐体の透明または半透明の部分から出射される光にムラを生ずることがなくなる。
【図面の簡単な説明】
【００１６】
【図１】本願考案の一実施の形態の蛍光灯型ＬＥＤ照明装置の軸線方向に沿う縦断面図である。
【図２】同蛍光灯型ＬＥＤ照明装置の軸線方向と直角方向の拡大縦断面図である。
【考案を実施するための形態】
【００１７】
以下本願考案を図示の実施形態によって説明する。図１は本実施の形態の蛍光灯型ＬＥＤ照明装置の全体の構成を示しており、ここでは筐体が上側金属部分１１と下側樹脂部分１２とから構成されており、これらを互いに接合して円筒状の筐体を組立てるようにしている。なお下側樹脂部分１２は、ポリカーボネート樹脂またはアクリル樹脂の成形体から構成されている。そして図２Ａに示すように、上側筐体１１はその両側端に係合突部１３を備え、この係合突部１３が下側筐体１２の両側の係合凹部１４に係合され、これによって断面が円形の筐体を組立てるようにしている。そして筐体１１、１２の軸線方向の両端には、図１に示すように、円形のキャップ状をなす口金１５が取付けられるとともに、この口金１５から突出するように端子ピン１６が植設されている。このような端子ピン１６によって、蛍光灯の取付け具（ソケット）に取付けることができるようになっている。
【００１８】
次のこのような蛍光灯型ＬＥＤ照明装置の内部の構造について説明する。図２に示すように、筐体１１、１２の内部には、山形に屈曲するように取付け板２０が配されている。すなわち取付け板２０は左側傾斜部２１と右側傾斜部２２とを備え、断面が山形の構造をなしており、両側の傾斜部２１、２２間のなす角度は、例えば１５０度になっている。そしてこのような取付け板２０の左側傾斜部２１と右側傾斜部２２とにはそれぞれチップ状のＬＥＤ素子２３が取付けられるようになっている。すなわち取付け板２０は配線基板を兼ねており、下面に形成された銅箔の配線パターンによってＬＥＤ素子２３に給電を行なうようになっている。そして本実施の形態においては、左側傾斜部２１と右側傾斜部２２とのなす角度が、上述の如く１５０度に設定され、このような１５０度に設定された左側傾斜部２１と右側傾斜部２２の下面にそれぞれＬＥＤ素子２３が取付けられている。
【００１９】
ここで、互いに逆方向であって反対方向に傾斜する取付け板２０の左側傾斜部２１と右側傾斜部２２との間のなす角θ（図２Ａ参照）は、１７０〜１００度の範囲内であることが好ましい。この角度が１７０度よりも大きいと、ＬＥＤ素子２３から出射した光の内の側方の部分がプリズムシート２４にかからなくなる可能性があり、プリズムシート２４による拡散の効果が低減する。これに対して左側傾斜部２１と右側傾斜部２２とのなす角が１００度よりも小さくなると、ＬＥＤ素子２３から出射した光がプリズムシート２４の円周方向の中心側の部分に集中し易くなり、プリズムシート２４の両極の部分が有効に利用されないばかりか、この照明装置を通して出射される光がとくに下方部分で強くなるものの、側方部分においては暗くなる。従って、左側傾斜部２１と右側傾斜部２２とがなす角度は１７０〜１００度の範囲内であることが好適である。
【００２０】
取付け板２０の左側傾斜部２１と右側傾斜部２２とにそれぞれ取付けられているＬＥＤ素子２３は、それらの光軸が、左側傾斜部２１および右側傾斜部２２の表面に対して垂直であって斜め下方に向くようになる。そして左右両側のＬＥＤ素子２３の光軸は、プリズムシート２４の上面の近傍あるいはその上方において互いに交差することになる。ここで左右両側のＬＥＤ素子２３の光軸のなす交差角をαとすると、α＋θ＝１８０度の関係が成立する。従ってα＝１８０−θとなる。従って、θが１７０〜１００度の範囲内である場合には、αは１０〜８０度の範囲内になり、このような角度αで左右両側のＬＥＤ素子２３が筐体１２の内側において交差するようになる。
【００２１】
次に上記下側透明樹脂部分から成る筐体１２の内側には、図２Ａに示すようにプリズムシート２４が装着されている。プリズムシート２４はその内表面に三角形の突条２５を互いに平行に多数形成した透明樹脂、例えばアクリル樹脂、ポリカーボネート樹脂等から成るシートであって、このようなアクリル樹脂製のシート２４の平坦な面を上記筐体１２の内表面に沿うように円弧状に湾曲させて筐体１２内に取付けられている。
【００２２】
本実施の形態の照明装置において、とくに光の出射部となる下側樹脂部分から成る筐体１２の角度は、この筐体１１、１２の中心部に対して円周方向に２４５度以上であることが好ましい。従来のこの種の蛍光灯型ＬＥＤ照明装置においては、透明樹脂部分から成る下側筐体が円周方向に約１８０度の角度を有し、取付け板が筐体の中心部を通る水平方向の直径とほぼ重なるように配されており、筐体の下側部分の１８０度の範囲内が光を発するようになっていた。これに対して本実施の形態においては、取付け板２０を山形形状とするとともに上側に偏倚させ、下側筐体部分１２の円周方向のなす角度を２４５度以上にしているために、この範囲内においてまんべんなく外部に光を出射することができるようになり、広範囲の照明を行なうことが可能な蛍光灯型ＬＥＤ照明装置を提供できるようなる。
【００２３】
以上のような構成において、取付け板２０の左側傾斜部２１および右側傾斜部２２の下面に取付けられるＬＥＤ素子２３から出射した光は、その光軸の中心がプリズムシート２４の左右のほぼ中央部に向かうように出射されるとともに、所定の拡散角度をもって照射される。そしてプリズムシート２４の三角形の突条２５の部分で一部の光が屈折され、この後にプリズムシート２４および筐体１２を通して外部に出射される。また一部の光は、ＬＥＤ素子２３から出射された後にプリズムシート２４の三角形の突条２５の外表面で反射される。すなわちプリズムシート２４の三角形の突条２５の斜めの面で反射された後に、下側樹脂部分から成る筐体１２を通して外部に出射されることになる。従って、筐体１１、１２から成る光の出射角度が拡大することになる。
【００２４】
このように本実施の形態の蛍光灯型ＬＥＤ照明装置は、ＬＥＤ２３の狭い照射角度の欠点を有効に利用し、プリズムシート２４を用い、しかも上記ＬＥＤ素子２３を取付け板２０の左側傾斜部２１と右側傾斜部２２とに取付け、これによってＬＥＤ素子２１の照射角度を筐体１１、１２の図２Ａにおける垂直な直径方向に対して角度をつけるようにしている。このために、ＬＥＤ素子２３の数量を少なくしながらしかも明るさを確保し、さらに筐体１１、１２の内の下側樹脂部分１２の照射角度を３００度以上とすることが可能になっている。
【００２５】
次に別の実施の形態を図２Ｂによって説明する。この実施の形態は、取付け板２０の左側傾斜部２１と右側傾斜部２２とにそれぞれ砲弾型ＬＥＤ素子２３を取付けるようにしたものである。なおそれ以外の形態は、上記第１の実施の形態と同様である。
【００２６】
図２Ｃは、さらに別の実施の形態を示している。この実施の形態は、取付け板２０の左側の傾斜部２１と右側傾斜部２２とにそれぞれフラックス型のＬＥＤ素子２３を取付けるようにしている。また下側樹脂部分１２の内表面には、断面円弧状の突条２６を有するプリズムシート２４を配している。このような構成によっても、上記実施の形態とほぼ同様の作用効果を奏することができる。
【００２７】
図２Ｄは、さらに別の実施の形態を示している。この実施の形態は、筐体が上下に分割された構造にはなっておらず、円筒状の樹脂部分から成る筐体１２によって構成されている。このような筐体１２は、ポリカーボネート樹脂のような透明な樹脂をその軸線方向に押出し成形することによって成形された円筒状の筐体である。そしてその内部には、左右の傾斜部を構成する取付け板２１、２２を保持するための取付け部３１、３２がそれぞれ形成されている。左側の取付け部３１、３２によって左側傾斜部を構成する取付け板２１が取付けられ、その上にＬＥＤ素子２３が実装されている。同様に右側の取付け部３１、３２によって右側傾斜部を構成する取付け板２２が保持されており、この取付け板２２上にＬＥＤ素子２３が実装されている。なおここで両側の傾斜部２１、２２の交差する角度および両側のＬＥＤ素子２３の光軸のなす角度については、上記実施の形態と同様である。
【００２８】
以上本願考案を図示の一実施の形態によって説明したが、本願考案は上記実施の形態によって限定されることなく、本願考案の技術的思想の範囲内において各種の変更が可能である。例えば上記実施の形態における取付け板２０上におけるＬＥＤ素子２３の配列位置やその個数等については、使用する目的に応じて各種の変更が可能である。
【産業上の利用可能性】
【００２９】
本願考案は、外形寸法が蛍光灯と同じであってしかもＬＥＤの光を利用した省電力型の蛍光灯型ＬＥＤ照明装置として利用することができる。
【符号の説明】
【００３０】
１１  筐体（上側金属部分）
１２  筐体（下側樹脂部分）
１３  係合突部
１４  係合凹部
１５  口金
１６  端子ピン
２０  取付け板
２１  左側傾斜部
２２  右側傾斜部
２３  ＬＥＤ素子
２４  プリズムシート
２５  三角形の突条
２６  円弧状の突条
【図１】
0003172924.tif 000003
【図２】
0003172924.tif 000004